(57)【要約】      （修正有）【課題】外装ルーバーを容易に取付け及び取外すことができる外装ルーバーの取付構造及び取付金具を提供する。【解決手段】外装ルーバー１０の下端部を下方の躯体に取付ける下側の取付金具３０と、外装ルーバー１０の上端部を上方の躯体に取付ける上側の取付金具２０とを備え、取付金具２０，３０は、外装ルーバー１０の端面に沿って延びる板材２１，３１と、外装ルーバー１０の中空部１１に嵌合される保持金具２２，３２とを有し、板材２１，３１は、躯体２，３に設けた固定ボルト５の導入溝を具備したボルト係合孔２３，３３を有し、保持金具２２，３２は、板材２１，３１の上面に取付けられており、外装ルーバー１０の上下端部における中空部１１に取付金具２０，３０の保持金具２２，３２を嵌合し、取付金具２０，３０のボルト係合孔２３，３３に躯体の固定ボルト５を導入して固定する。【選択図】図２
0003192543.tif 000002
【実用新案登録請求の範囲】
【請求項１】
建物の躯体の間に取付けられる中空部を有する外装ルーバーの取付構造であって、
前記外装ルーバーの下端部を下方の躯体に取付ける下側の取付金具と、前記外装ルーバーの上端部を上方の躯体に取付ける上側の取付金具と、を備え、
前記取付金具は、前記外装ルーバーの端面に沿って延びる板材と、前記外装ルーバーの中空部に嵌合される保持金具と、を有し、
前記板材は、前記躯体に設けた固定ボルトの導入溝を具備したボルト係合孔を有し、
前記保持金具は、前記板材の上面に取付けられており、
前記外装ルーバーの上下端部における中空部に前記取付金具の保持金具を嵌合し、前記取付金具のボルト係合孔に前記躯体の固定ボルトを導入して固定したことを特徴とする外装ルーバーの取付構造。
【請求項２】
前記下側の取付金具は、前記板材と外装ルーバーの下端との間に所定の隙間を形成する高さのロッキングブロックを長手方向中間部に備え、
前記ロッキングブロックは、前記外装ルーバーの下端における幅方向中間部の桟部を挟持する挟持部材を有し、
前記挟持部材で前記外装ルーバーの桟部を挟持し、前記ロッキングブロックを外装ルーバーの下端に当接させた状態で、該取付金具のボルト係合孔に前記躯体の固定ボルトを導入して固定するように構成された請求項１に記載の外装ルーバーの取付構造。
【請求項３】
前記ボルト係合孔は、前記固定ボルトの軸部直径に対して大きい孔部に形成され、
前記固定ボルトを挿通する孔部を中央部に有し、前記ボルト係合孔に挿入する突出部を有する固定部材を更に備え、
前記固定部材の突出部を前記ボルト係合孔に挿入した状態で前記固定ボルトによって前記固定部材を介して取付金具を固定するように構成された請求項１又は２に記載の外装ルーバーの取付構造。
【請求項４】
前記導入溝は、離間した位置で前記板材の長手方向の一端側と他端側とから形成され、
前記導入溝からボルト係合孔に前記躯体の固定ボルトを対向する方向から導入して固定するように構成された請求項１〜３のいずれか１項に記載の外装ルーバーの取付構造。
【請求項５】
両端部に複数の中空部を有する外装ルーバーの取付金具であって、
前記外装ルーバーの端面に沿って延びる板材と、
前記板材の長手方向に所定間隔で設けられ、前記外装ルーバーの端部に設けられた中空部に嵌合される保持金具と、
前記板材の長手方向中間部に設けられ、前記外装ルーバーの下端と板材との間に所定の隙間を設けるロッキングブロックと、
前記板材の長手方向に所定間隔で設けられ、躯体側の固定ボルトを板材の長手方向端部から導入する導入溝を具備したボルト係合孔と、を備えていることを特徴とする外装ルーバー取付金具。
【請求項６】
前記保持金具は、前記外装ルーバーの中空部に嵌合されて該中空部の内面を押し拡げる方向に付勢される係合部を有している請求項５に記載の外装ルーバー取付金具。
【請求項７】
前記ロッキングブロックは、外装ルーバーの端部における隣り合う前記中空部を仕切る桟部を挟持する挟持部材を備えている請求項５又は６に記載の外装ルーバー取付金具。
【請求項８】
前記ボルト係合孔は、前記固定ボルトの軸部直径に対して大きい孔部に形成され、
前記固定ボルトを挿通する孔部を中央部に有し、前記ボルト係合孔に挿入する突出部を有する固定部材を更に備えている請求項５〜７のいずれか１項に記載の外装ルーバー取付金具。
【請求項９】
前記導入溝は、離間した位置で前記板材の長手方向の一端側と他端側とから形成されている請求項５〜８のいずれか１項に記載の外装ルーバー取付金具。
【考案の詳細な説明】
【技術分野】
【０００１】
本考案は、押出成形セメント板などで形成される外装ルーバーの取付構造とそれに用いる取付金具に関するものである。
【背景技術】
【０００２】
従来、建物の外装として取付けられる外装ルーバーは、光や風を調節すると共に、建物の外装デザインとしても重要な要素となっている。この外装ルーバーとしては、金属製、樹脂製、無機質材料製のものなどがある。
【０００３】
このうち、無機質材料製である押出成形セメント板で形成される外装ルーバーには、中空部を設けて軽量化したものがある。以下、この押出成形セメント板の外装ルーバーを例に説明する。この外装ルーバーは、中空部を有するように形成されているため、軽量であるが強度が大きいので、外装ルーバーを建物の躯体に支持する支持間隔を大きくすることができる。そのため、押出成形セメント板の外装ルーバーを採用することで、建物の外装デザインの選択の幅を広く採ることができ、建物外装の幅広いデザイン開発を実現可能にできる。
【０００４】
一方、このような外装ルーバーを取付ける構造としては、一般的に、建物の躯体に取付けられたＬ型アングルに外装ルーバーの上下端部に取付けられた取付金具を係合してボルトで取付けている。しかしながら、このようなルーバー取付構造では、外装ルーバーに取付金具を設ける必要があると共に、外装ルーバーの取付部分にアングルと取付金具、ボルトが露出するため意匠性を損なう。
【０００５】
そこで、本出願人は、この種の先行技術として、外装ルーバーの取付部分にアングル、取付金具、ボルトが露出しない外装ルーバー取付構造を先に出願した（特許文献１参照）。この外装ルーバー取付構造は、押出成形セメント板の中空部内に嵌合される第１係合部を有する外装ルーバー孔用取付具と、互いに隣り合う中空部を仕切る桟部を挟み込む第２係合部と、更に桟部の端面と当接する外装ルーバー桟用取付具とを備え、これらの取付具を外装ルーバーに備えさせて、その取付具を建物の躯体側に設けられた下地材に溶接等で固定している。この取付構造の場合、外装ルーバーの上下両端部が躯体と所定の隙間を隔てて配置されるようにして、溶接等が行えるようにしている。
【０００６】
この外装ルーバー取付構造によれば、外装ルーバーの取付具が外装ルーバーの外側に露出しないので、意匠性を損なうことなく外装ルーバーを建物に取付けることができる。
【先行技術文献】
【特許文献】
【０００７】
【特許文献１】特開２００９−５７７９４号公報
【考案の概要】
【考案が解決しようとする課題】
【０００８】
しかしながら、上記した外装ルーバー取付構造では、外装ルーバーの取付具を溶接等で躯体側に設けられた下地材に固定する場合、躯体と外装ルーバーとの間の限られた隙間で取付具の位置決めをした後、下地材に溶接等で固定する必要があり、作業に時間と労力を要する。
【０００９】
また、外装ルーバーの取替えが必要になった場合には、躯体と外装ルーバーとの間の限られた隙間で溶接部等を除去した後に外装ルーバーを取外す必要があり、取替えにも時間と労力を要する。
【００１０】
そこで、本考案は、外装ルーバーを容易に取付け及び取外すことができる外装ルーバーの取付構造と、それに用いる取付金具を提供することを目的とする。
【課題を解決するための手段】
【００１１】
上記目的を達成するために、本考案に係る外装ルーバーの取付構造は、建物の躯体の間に取付けられる中空部を有する外装ルーバーの取付構造であって、前記外装ルーバーの下端部を下方の躯体に取付ける下側の取付金具と、前記外装ルーバーの上端部を上方の躯体に取付ける上側の取付金具と、を備え、前記取付金具は、前記外装ルーバーの端面に沿って延びる板材と、前記外装ルーバーの中空部に嵌合される保持金具と、を有し、前記板材は、前記躯体に設けた固定ボルトの導入溝を具備したボルト係合孔を有し、前記保持金具は、前記板材の上面に取付けられており、前記外装ルーバーの上下端部における中空部に前記取付金具の保持金具を嵌合し、前記取付金具のボルト係合孔に前記躯体の固定ボルトを導入して固定している。
【００１２】
この構成により、外装ルーバーの上下端部における中空部に取付金具の保持金具を嵌合し、上側の取付金具及び下側の取付金具のボルト係合孔を上下の躯体の固定ボルトに係合させて、この固定ボルトでそれぞれの取付金具を躯体に固定することにより、外装ルーバーの上下部をボルト止めによって躯体に取付けることができ、施工精度と施工性の向上を図ることができる。
【００１３】
また、前記下側の取付金具は、前記板材と外装ルーバーの下端との間に所定の隙間を形成する高さのロッキングブロックを長手方向中間部に備え、前記ロッキングブロックは、前記外装ルーバーの下端における幅方向中間部の桟部を挟持する挟持部材を有し、前記挟持部材で前記外装ルーバーの桟部を挟持し、前記ロッキングブロックを外装ルーバーの下端に当接させた状態で、該取付金具のボルト係合孔に前記躯体の固定ボルトを導入して固定するように構成されていてもよい。
【００１４】
このように構成すれば、外装ルーバーの下端に当接させたロッキングブロックにより、板材と外装ルーバーの下端との間に所定の隙間を形成することができ、この隙間から固定ボルトを躯体に固定することが効率良くできる。しかも、挟持部材で外装ルーバーの幅方向中間部の桟部を挟持しているので、躯体側に層間変位を生じても外装ルーバーを適切に変位させることができる。
【００１５】
また、前記ボルト係合孔は、前記固定ボルトの軸部直径に対して大きい孔部に形成され、前記固定ボルトを挿通する孔部を中央部に有し、前記ボルト係合孔に挿入する突出部を有する固定部材を更に備え、前記固定部材の突出部を前記ボルト係合孔に挿入した状態で前記固定ボルトによって前記固定部材を介して取付金具を固定するように構成されていてもよい。
【００１６】
このように構成すれば、固定部材の孔部に固定ボルトを挿通し、この固定部材の突出部をボルト係合孔に挿入した状態で取付金具を躯体に固定することにより、固定ボルトによる固定が緩んだとしても、ボルト係合孔に挿入した突出部がボルト係合孔と係合している状態では外装ルーバーが固定ボルトから外れないようにできる。
【００１７】
また、前記導入溝は、離間した位置で前記板材の長手方向の一端側と他端側とから形成され、板材のボルト係合孔に前記躯体の固定ボルトを対向する方向から導入して固定するように構成されていてもよい。
【００１８】
このように構成すれば、固定ボルトによる取付金具の固定が緩んだとしても、取付金具のボルト係合孔が固定ボルトから外れる方向に外装ルーバーが回転しない限り、外装ルーバーが固定ボルトから外れないようにできる。
【００１９】
一方、本考案に係る外装ルーバーの取付金具は、両端部に複数の中空部を有する外装ルーバーの取付金具であって、前記外装ルーバーの端面に沿って延びる板材と、前記板材の長手方向に所定間隔で設けられ、前記外装ルーバーの端部に設けられた中空部に嵌合される保持金具と、前記板材の長手方向中間部に設けられ、前記外装ルーバーの下端と板材との間に所定の隙間を設けるロッキングブロックと、前記板材の長手方向に所定間隔で設けられ、躯体側の固定ボルトを板材の長手方向端部から導入する導入溝を具備したボルト係合孔と、を備えている。
【００２０】
この構成により、外装ルーバーの中空部に取付金具の保持金具を嵌合し、この取付金具のボルト係合孔に躯体の固定ボルトを導入して、この固定ボルトで取付金具を固定することにより、外装ルーバーをボルト止めによって躯体に取付けることができ、施工精度と施工性の向上を図ることができる。しかも、ロッキングブロックによって、外装ルーバーの下端と躯体との間に所定の隙間を設けることができる。
【００２１】
また、前記保持金具は、前記外装ルーバーの中空部に嵌合されて該中空部の内面を押し拡げる方向に付勢される係合部を有していてもよい。
【００２２】
このように構成すれば、外装ルーバーの中空部に嵌合された保持金具の係合部によって常に中空部の内面を押圧するように付勢されるので、外装ルーバーの端部を適切に保持することができる。
【００２３】
また、前記ロッキングブロックは、外装ルーバーの端部における隣り合う前記中空部を仕切る桟部を挟持する挟持部材を備えていてもよい。
【００２４】
このように構成すれば、外装ルーバーの挟持した桟部を中心に、外装ルーバーが長手方向に揺動することを許容できるので、地震などによって建物の躯体側に層間変位を生じても外装ルーバーを適切に変位させることができる。
【００２５】
また、前記ボルト係合孔は、前記固定ボルトの軸部直径に対して大きい孔部に形成され、前記固定ボルトを挿通する孔部を中央部に有し、前記ボルト係合孔に挿入する突出部を有する固定部材を更に備えていてもよい。
【００２６】
このように構成すれば、固定部材の孔部に固定ボルトを挿通し、この固定部材の突出部をボルト係合孔に挿入した状態で取付金具を固定することにより、固定ボルトによる固定が緩んだとしても、ボルト係合孔に挿入した突出部がボルト係合孔と係合している状態では外装ルーバーが固定ボルトから外れないようにできる。
【００２７】
また、前記導入溝は、離間した位置で前記板材の長手方向の一端側と他端側とから形成されていてもよい。
【００２８】
このように構成すれば、固定ボルトによる取付金具の固定が緩んだとしても、取付金具のボルト係合孔が固定ボルトから外れる方向に外装ルーバーが回転しない限り、外装ルーバーが固定ボルトから外れないようにできる。
【考案の効果】
【００２９】
本考案によれば、外装ルーバーの取付時に溶接の必要がないので溶接時の位置決めや仮留めが必要なく、固定ボルトによる固定だけで躯体に取付けることができる。このため、外装ルーバーの取付が容易になり、施工精度と施工性の向上を図ることが可能となる。
【図面の簡単な説明】
【００３０】
【図１】図１は本考案に係る外装ルーバーの取付構造で取付けた外装ルーバーと躯体を示す斜視図である。
【図２】図２は図１に示す取付構造の一部断面した側面図である。
【図３】図３は図２に示すIII−III矢視の断面図である。
【図４】図４は図２に示す取付金具の図面であり、(a) は下側取付金具の斜視図、(b) は上側取付金具の斜視図である。
【図５】図５(a) 〜(c) は図４に示す取付金具の取付手順を示す模式図である。
【図６】図６(a) 〜(c) は図４に示す取付金具と異なる例の取付金具の斜視図である。
【図７】図７は図４(a) に示す下側取付金具とは異なるボルト係合孔を有する取付金具を固定ボルトで固定する状態を示す斜視図である。
【図８】図８は図７に示す固定ボルトとボルト係合孔との間に具備させる固定部材の図面であり、(a) は側面図、(b) は底面図である。
【図９】図９(a) 〜(c) は図４の取付金具とは異なるボルトの導入溝を具備した取付金具の取付手順を示す模式図である。
【考案を実施するための形態】
【００３１】
以下、本考案の実施形態を図面に基づいて説明する。以下の実施形態では、建物の上下の躯体（スラブ）間に外装ルーバーを一定間隔で取付ける例を説明する。また、以下の実施形態における外装ルーバーは、押出成形セメント板を例に説明する。更に、この明細書及び実用新案登録請求の範囲の書類中において、外装ルーバーは、図２に示す側面視における左右方向を「幅方向」、上下方向を「長手方向」といい、外装ルーバー取付金具は、図２に示す左右方向を「長手方向」、前後方向を「幅方向」というものとする。
【００３２】
図１に示すように、この実施形態の建物１には、各階の床部分から周囲に突出する躯体（スラブ）２，３が設けられている。そして、上下の躯体２，３の間に外装ルーバー１０が取付けられている。この外装ルーバー１０は、上端部に設けられた上側の取付金具２０（以下、「上側取付金具２０」ともいう）と、下端部に設けられた下側取付金具３０（以下、「下側取付金具３０」ともいう）とによって、上方躯体２の下面と下方躯体３の上面との間に鉛直方向に取付けられ、水平方向には複数枚が平行に取付けられている。外装ルーバー１０は、建物１に対する光の入射状態や風の流れを調節すると共に、建物１の外装デザインとしても重要な要素となる。この外装ルーバー１０は、例えば、図示するように建物１の外面に対して直交するように取付けられたり、直交する角度から所定角度で傾けて取付けられる。
【００３３】
図示する外装ルーバー１０は、所定階の躯体２．３の間に設けられており、上方躯体２及び下方躯体３の取付位置に予め設けられた固定ボルト５に取付金具２０，３０を固定することで取付けられている。この固定ボルト５としては、躯体２．３が鉄筋コンクリート造であれば、躯体２，３にＰＣ（プレストレスト・コンクリート）用インサート４（図２参照、以下、単に「インサート」という）が埋め込まれ、そのインサート４にねじ込まれて設けられる。そして、この実施形態の外装ルーバー１０の取付構造８０では、外装ルーバー１０の下端部に設けられた下側取付金具３０が下方躯体３に固定ボルト５で取付けられ、上端部に設けられた上側取付金具２０が上方躯体２に固定ボルト５で取付けられる。
【００３４】
図２は、図１に示す取付構造８０の一部断面した側面図であり、図３は、図２に示すIII−III矢視の断面図である。上記外装ルーバー１０の取付構造８０における上側取付金具２０及び下側取付金具３０には、躯体２．３に取付けられる板材２１，３１と、外装ルーバー１０の中空部１１に嵌合される保持金具２２，３２とが設けられている。板材２１，３１は、外装ルーバー１０の端面よりも小さい矩形状に形成されている。また、下側取付金具３０には、長手方向中央部にロッキングブロック３５が設けられ、このロッキングブロック３５の上面に設けられた挟持部材３６で外装ルーバー１０の中空部１１を仕切る桟部１２を挟持するようになっている。
【００３５】
この実施形態では、躯体２．３に、上記したようなインサート４が予め設けられており、このインサート４のねじ部に固定ボルト５がねじ込まれている。この固定ボルト５の軸部が、上記板材２１，３１の導入溝２４，３４（図４）からボルト係合孔２３，３３に導入され、取付金具２０，３０はこの固定ボルト５で躯体２，３に固定されている。
【００３６】
外装ルーバー１０は、上下の躯体２．３に取付けたときに、上下位置でボルト止めの作業ができる隙間Ｓが確保できる高さ（長さ）に設定されている。なお、この実施形態では、下側取付金具３０の部分では、躯体２．３との間にロッキングブロック３５の高さによって隙間Ｓが生じるので、取付けたときに、上側も下側と同じロッキングブロック３５の厚み分の隙間Ｓを生じるようにしている。
【００３７】
また、取付け後の外装ルーバー１０と躯体２．３との隙間Ｓには、シーリング材４０が設けられている。これにより、外装ルーバー１０から金具が露出しないようにすると共に、風雨による金具の劣化を防いでいる。なお、この実施形態では、上記シーリング材４０の端部に排水パイプ４１が設けられている。これにより、仮にシーリング材４０の内部に雨水が入ったとしても、この排水パイプ４１から排出される。
【００３８】
図４(a),(b) は、上記外装ルーバー１０の端部に取付ける外装ルーバー取付金具である下側取付金具３０と上側取付金具２０を示している。図４(a) に示すように、この実施形態の下側取付金具３０は、上記外装ルーバー１０の端面に沿って延びる板材３１を有し、この板材３１は、上記外装ルーバー１０の中空部１１に嵌合される保持金具３２と、躯体２．３に設けた固定ボルト５を板材３１のボルト係合孔３３に導くための導入溝３４が２箇所に設けられている。この実施形態では、板材３１の長辺の一端側に導入溝３４が設けられ、板材３１の中央部に設けられたボルト係合孔３３と連なっている。これにより、板材３１を水平方向に移動させることで、固定ボルト５の軸部を導入溝３４からボルト係合孔３３に導くことができる。
【００３９】
また、保持金具３２は、板材３１の長手方向に所定間隔で２箇所に設けられており、外装ルーバー１０に設けられた中空部１１の位置と一致するように設けられている。この保持金具３２は、外装ルーバー１０の中空部１１に嵌合されて、その内面を押し拡げる方向に付勢する係合部３２ａを有している。この係合部３２ａは、中空部１１の内面を外向きに付勢するバネ鋼などで形成することができる。この保持金具３２により、外装ルーバー１０自体には穴あけ加工をすることなく、外装ルーバー１０と係合した状態を保つように取付けることができる。
【００４０】
更に、下側取付金具３０には、板材３１の長手方向中間部に、板材３１と外装ルーバー１０の下端との間に所定の隙間Ｓを形成するロッキングブロック３５が設けられている。このロッキングブロック３５は、外装ルーバー１０の下端が当接した状態で、躯体２，３と外装ルーバー１０の下端との間に所定の隙間Ｓ（図２）を形成することができる高さに設定されている。
【００４１】
また、ロッキングブロック３５には、外装ルーバー１０の下端における幅方向中間部の隣り合う中空部１１を仕切る桟部１２（図２）を挟持する挟持部材３６が設けられている。この挟持部材３６としては、外装ルーバー１０の桟部１２を挟んだ状態を保つバネ鋼などで形成することができる。
【００４２】
この実施形態では、下側取付金具３０に設けられたロッキングブロック３５に桟部１２を挟持する挟持部材３６を設けることにより、層間変位時に外装ルーバー１０の端部における中間部分を支点として変位を行わせることができるので、層間変位時の安定性を向上させることができる。
【００４３】
図４(b) に示すように、この実施形態の上側取付金具２０も、外装ルーバー１０の端面に沿って延びる板材２１を有し、この板材２１には、外装ルーバー１０の中空部１１に嵌合される保持金具２２が長手方向に所定間隔で２箇所に設けられている。この保持金具２２も、外装ルーバー１０の中空部１１に嵌合されて、その内面を押し拡げる方向に付勢する係合部２２ａを有している。この係合部２２ａも、中空部１１の内面を外向きに付勢するバネ鋼などで形成することができる。
【００４４】
また、下側取付金具３０と同様に、板材２１の長辺の一端側には、躯体２．３に設けた固定ボルト５の導入溝２４が２箇所に設けられ、板材２１の幅方向中央部分に設けられたボルト係合孔２３と連なっている。これにより、板材２１を水平方向に移動させることで、固定ボルト５の軸部を導入溝２４からボルト係合孔２３に導くことができる。上側取付金具２０には、上記ロッキングブロック３５が設けられていない。そのため、挟持部材３６も設けられていない。この上側取付金具２０の全体的な大きさは、上記下側取付金具３０と同一である。
【００４５】
なお、上記板材２１，３１、ロッキングブロック３５、保持金具２２，３２は、ステンレスや、鋼材に溶融亜鉛メッキや電気メッキを施したものを用いることができる。
【００４６】
このような上側取付金具２０と下側取付金具３０とによれば、上記した図２に示すように、下側取付金具３０は、外装ルーバー１０の中空部１１に保持金具３２が嵌合され、挟持部材３６で外装ルーバー１０の下端の桟部１２を挟持し、ロッキングブロック３５を外装ルーバー１０の下端部に当接させた状態とする。上側取付金具２０は、外装ルーバー１０の中空部１１に保持金具２２を嵌合した状態とする。
【００４７】
そして、この状態の外装ルーバー１０を躯体２．３の取付位置近傍まで搬送し、水平方向に移動させることで、上側取付金具２０と下側取付金具３０のボルト係合孔２３，３３に躯体２．３の固定ボルト５を導入溝２４，３４から導入する。その後、固定ボルト５をインサート４にねじ込んで固定することにより、外装ルーバー１０自体には穴開け加工などをすることなく、外装ルーバー１０を躯体２．３の間に取付ける作業が完了する。
【００４８】
この状態では、上記取付金具２０，３０の保持金具２２，３２は、外装ルーバー１０の幅方向の端部から離れた位置の中空部１１内に嵌合されて、その内面が係合部２２ａ，３２ａで押し拡げる方向に付勢されて保持されているので、取付金具２０，３０による外装ルーバー１０の取付強度が保たれる。
【００４９】
しかも、下側取付金具３０の長手方向中央部に一体的に設けられたロッキングブロック３５の挟持部材３６により、例えば、地震等によって建物１が層間変位した時でも、ロッキングブロック３５を支点として外装ルーバー１０が変位する。また、外装ルーバー１０と躯体２．３との間には所定の隙間Ｓが設けられているため、層間変位が生じても、この隙間Ｓによって外装ルーバー１０と躯体２．３との接触を避けることができる。このように、層間変位時に外装ルーバー１０の動きをスムーズにすると共に、変位時の外装ルーバー１０と躯体２，３との接触などを防止することができる。
【００５０】
図５(a) 〜(c) は、上記取付金具２０，３０の取付手順を示す模式図である。これらの図では、上記したように外装ルーバー１０に取付けた下側取付金具３０と上側取付金具２０の板材２１，３１のみを図示して説明する。なお、板材２１，３１は、同じ大きさで、同じ形状であるため、符号を併記して説明する。
【００５１】
図５(a) に示すように、固定ボルト５に対して平行に外装ルーバー１０を配置し、外装ルーバー１０を平行移動させることで固定ボルト５の導入溝２４，３４からボルト係合孔２３，３３に固定ボルト５を導入する。そして、図５(b) に示すように、その状態で外装ルーバー１０を少し幅方向にずらす。その後、図５(c) に示す状態で、固定ボルト５によって取付金具２０，３０を躯体２．３に取付ける。
【００５２】
このようにして外装ルーバー１０を躯体２．３に取付ける取付構造８０によれば、外装ルーバー１０の取付時に溶接の必要がないので溶接時の位置決めや仮留めが必要なく、固定ボルト５による固定だけで躯体２．３に取付けることができ、外装ルーバー１０の取付が容易で、施工精度と施工性の向上を図ることが可能となる。
【００５３】
図６(a) 〜(c) は、上記図４(a),(b) に示す取付金具２０，３０とは異なる取付金具の例を示す斜視図である。これらの図では、上記取付金具２０，３０と異なる構成を説明し、同一の構成には同一符号を付して、その説明は省略する。
【００５４】
図６(a) は、上記下側取付金具３０の異なる例である。この下側取付金具５０は、ロッキングブロック３５に挟持部材３６が設けられていない例である。この下側取付金具５０の場合、外装ルーバー１０の長手方向寸法が短い場合など、層間変位を生じても大きな変位が生じないような場合に用いることができる。
【００５５】
図６(b) は、上記下側取付金具３０の異なる例である。この下側取付金具５１には、外装ルーバー１０の中空部１１に嵌合される小型の保持金具５２が設けられている。この下側取付金具５１の場合、例えば、高さの低い外装ルーバー１０の取付けに用いることができる。
【００５６】
図６(c) は、上記上側取付金具２０の異なる例である。この上側取付金具５３には、外装ルーバー１０の中空部１１に嵌合される小型の保持金具５２が設けられている。この上側取付金具５３の場合、例えば、高さの低い外装ルーバー１０の取付けに用いることができる。
【００５７】
なお、これらの例は一例であり、外装ルーバー１０の構成に応じて、これらを組合わせたり、保持金具を異なる大きさしたり、ボルト係合孔の数を変更することも可能である。
【００５８】
図７(a),(b) は、上記図４(a) に示す下側取付金具３０とは異なるボルト係合孔６３を有する取付金具６０を固定ボルト５で固定する例を示し、図８(a),(b) は、このボルト係合孔６３と固定ボルト５との間に具備させる固定部材６５の図面である。これらの図では、上記取付金具３０と異なる構成を説明し、同一の構成には同一符号を付して、その説明は省略する。
【００５９】
図７(b) に示すように、この実施形態の取付金具６０は、板材６１に設けたボルト係合孔６３の直径を、固定ボルト５の軸部直径よりも大きく、導入溝３４の幅より大きい穴部としている。そして、図７(a) に示すように、このボルト係合孔６３とほぼ同じ直径の突出部６６（図８）を有する固定部材６５の孔部６７に固定ボルト５を挿通して、この固定部材６５を介して取付金具６０を固定している。
【００６０】
図８(a),(b) に示すように、固定部材６５は、２段のワッシャ（以下、固定部材６５と同一符号を付す）となっている。このワッシャ６５は、中央部に固定ボルト５を挿通する孔部６７があり、その周囲に大径のボルト係合孔６３に挿入する突出部６６が形成された段付きのワッシャ６５である。ワッシャ６５は、固定ボルト５の頭部と一体となった固定部材でもよい。
【００６１】
このような取付金具６０によれば、ワッシャ６５の突出部６６をボルト係合孔６３に挿入した状態で固定ボルト５を締付けて、取付金具６０を躯体２，３に固定する。従って、この場合も施工性の向上を図ると共に、取付金具６０を躯体２．３の所定位置（固定ボルト５の配設位置）に確実に取付けることができる。
【００６２】
しかも、この取付金具６０を用いた取付構造によれば、何らかの原因で固定ボルト５が緩んだとしても、ワッシャ６５の突出部６６がボルト係合孔６３に挿入されているので、突出部６６がボルト係合孔６３と係合している状態では、外装ルーバー１０の取付金具６０が躯体２．３から外れないようにできる。
【００６３】
図９(a) 〜(c) は、上記図４に示す取付金具２０，３０に異なる導入溝７０，７１を具備させた例の取付手順を示す模式図である。この図では、上記取付金具２０，３０とは導入溝７０，７１のみが異なるため、導入溝７０，７１のみ異なる符号を付して、取付金具２０，３０の取付手順のみを説明する。
【００６４】
この例の取付金具２０，３０の板材２１，３１には、長手方向の一端側から１つの導入溝７０が形成され、他端側からもう１つの導入溝７１が形成されている。つまり、板材２１，３１の長手方向の両端側から対向するように導入溝７０，７１が設けられている。このように板材２１，３１の長手方向の両端側から対向するように固定ボルト５の導入溝７０，７１を設けた取付金具２０，３０によれば、図９(a) に示すように、固定ボルト５に対して斜めに配置した外装ルーバー１０を回転させることで導入溝７０，７１からボルト係合孔２３，３３に固定ボルト５を導入することができる。そして、図９(b) に示すように、躯体２．３の固定ボルト５に対して外装ルーバー１０の長手方向を対向する方向から係合させた状態で板材２１，３１を少し長手方向にずらす。その後、図９(c) に示す状態で、固定ボルト５によって取付金具２０，３０を躯体２．３に固定する。
【００６５】
従って、この導入溝７０，７１を有する取付金具２０，３０によれば、固定ボルト５による固定状態が緩んだとしても、外装ルーバー１０自体が躯体２．３に対して回転しない限り固定ボルト５がボルト係合孔２３，３３の位置からずれることがないので、より安定した取付構造とすることができる。
【００６６】
以上のように、上記外装ルーバー１０の取付構造８０によれば、外装ルーバー１０の中空部１１に保持金具２２，３２を嵌合し、ロッキングブロック３５を外装ルーバー１０の下端に当接させた状態で躯体２．３の取付位置に配置すれば、固定ボルト５による固定だけで外装ルーバー１０の取付け作業が完了する。従って、外装ルーバー１０の位置決めや固定が容易になり、従来のような溶接などに要する時間や労力を削減し、施工精度と施工性の向上を図ることが可能となる。
【００６７】
しかも、躯体２．３に対して取付金具２０，３０を溶接しないので、外装ルーバー１０の取替時などには、固定ボルト５を緩めれば外装ルーバー１０を容易に取外すことができ、作業効率良く取替えなどができる。
【００６８】
その上、上記取付金具２０，３０によれば、板材２１，３１に保持金具２２，３２とロッキングブロック３５を設けて一体的に形成する作業を工場で行えるので、金物の組合わせ時における溶接等の品質を一定とすることができ、取付金具２０，３０の施工後の耐久性や信頼性を向上させることができる。
【００６９】
なお、上記した実施形態では、外装ルーバー１０に設けた取付金具２０，３０の２箇所を固定ボルト５で固定する例に説明したが、固定ボルト５による固定は３箇所以上であってもよく、上記実施形態に限定されるものではない。
【００７０】
また、図１〜図５に示す実施形態では、外装ルーバー１０の中央部を挟持部材３６で挟持する例を説明したが、外装ルーバー１０の大きさや取付け条件等に応じて挟持部材３６はなくてもよく、上記実施形態に限定されるものではない。
【００７１】
更に、上記した実施形態は一例を示しており、外装ルーバー１０の材質なども限定されるものではなく、本考案の要旨を損なわない範囲での種々の変更は可能であり、本考案は上記した実施形態に限定されるものではない。
【産業上の利用可能性】
【００７２】
本考案に係る外装ルーバーの取付構造は、種々の建物において外装として設けられる外装ルーバーの取付けに利用できる。
【符号の説明】
【００７３】
１  建物
２  上方躯体
３  下方躯体
５  固定ボルト
１０  外装ルーバー
１１  中空部
１２  桟部
２０  取付金具（上側）
２１  板材
２２  保持金具
２２ａ  係合部
２３  ボルト係合孔
２４  導入溝
３０  取付金具（下側）
３１  板材
３２  保持金具
３２ａ  係合部
３３  ボルト係合孔
３４  導入溝
３５  ロッキングブロック
３６  挟持部材
４０  シーリング材
５０  下側取付金具
５１  下側取付金具
５２  保持金具
５３  上側取付金具
６０  取付金具
６１  板材
６３  ボルト係合孔
６５  固定部材（ワッシャ）
６６  突出部
７０  導入溝
７１  導入溝
８０  取付構造
Ｓ  隙間
【図１】
0003192543.tif 000003
【図２】
0003192543.tif 000004
【図３】
0003192543.tif 000005
【図４】
0003192543.tif 000006
【図５】
0003192543.tif 000007
【図６】
0003192543.tif 000008
【図７】
0003192543.tif 000009
【図８】
0003192543.tif 000010
【図９】
0003192543.tif 000011